(57)【要約】【課題】視力の衰えた老人等が容易にラップフィルムを指で摘み、引き出して、鋸刃によって、切り取ることを可能とする鋸刃付きラップフィルム収納箱を提供することを目的とする。【解決手段】下底板（１０８）と、後面板（１１２）と、本体前面板（１０１）と、上蓋板（１１３）と、上蓋前面板（１０６）と、上蓋側面板（１１０）と、本体側面板（１１１）と、鋸刃（１０３）とから構成されたラップフィルム又はアルミホイル用鋸刃付き収納箱において、本体前面板（１０１）上に、前記鋸刃（１０３）から前記上蓋板（１１３）方向へ略１０ｍｍの位置から前記本体前面板（１０１）と前記下底板（１０８）と、が接することによって形成する角（１０９）付近までに渡って、大人の人差し指が容易に入る程度の大きさの穴または該穴形成用のミシン目を設ける。【選択図】図１
0003124110.tif 000002
【実用新案登録請求の範囲】
【請求項１】
ラップフィルム又はアルミホイル用鋸刃付き収納箱であって、
前記収納箱は下底板（１０８）と、後面板（１１２）と、本体前面板（１０１）と、上蓋板（１１３）と、上蓋前面板（１０６）と、上蓋側面板（１１０）と、本体側面板（１１１）と、鋸刃（１０３）とから構成され、
前記鋸刃（１０３）は前記上蓋前面板（１０６）の先端に設置され、
前記本体前面板（１０１）上に、前記上蓋板（１１３）が閉じられて、前記上蓋前面板（１０６）が前記本体前面板（１０１）に近接する状態に至った場合に、前記鋸刃（１０３）から前記上蓋板（１１３）方向へ略１０ｍｍの位置から前記本体前面板（１０１）と前記下底板（１０８）とが接することによって形成する角（１０９）付近までに渡って、大人の人差し指が容易に入る程度の大きさの穴（以下「摘み用穴」ともいう）が設けられていることを特徴とする鋸刃付きラップフィルム又はアルミホイル用収納箱。
【請求項２】
前記摘み用穴が、前記本体前面板（１０１）を、前記本体前面板（１０１）の長辺であって、前記鋸刃（１０３）と平行を為す辺の中点で二分した場合に、それぞれの部分の略中央付近に設けられていることを特徴とする請求項１に記載の鋸刃付きラップフィルム又はアルミホイル用収納箱
【請求項３】
巻き取り状のラップフィルム又はアルミホイルが請求項１又は２に記載の鋸刃付きラップフィルム収納箱に収納されていることを特徴とする鋸刃付き収納箱入りラップフィルム又はアルミホイル。
【請求項４】
ラップフィルム又はアルミホイル用鋸刃付き収納箱であって、
前記収納箱は下底板（１０８）と、後面板（１１２）と、本体前面板（１０１）と、上蓋板（１１３）と、上蓋前面板（１０６）と、上蓋側面板（１１０）と、本体側面板（１１１）と、鋸刃（１０３）とから構成され、
前記鋸刃（１０３）は前記上蓋前面板（１０６）の先端に設置され、
前記本体前面板（１０１）上に、前記上蓋板（１１３）が閉じられて、前記上蓋前面板（１０６）が前記本体前面板（１０１）に近接する状態に至った場合に、前記鋸刃（１０３）から前記上蓋板（１１３）方向へ略１０ｍｍの位置から前記本体前面板（１０１）と前記下底板（１０８）とが接することによって形成する角（１０９）付近までに渡って、大人の人差し指が容易に入る程度の大きさの穴を形成できるようにミシン目（以下「摘み用穴用ミシン目」ともいう）が設けられていることを特徴とする鋸刃付きラップフィルム又はアルミホイル用収納箱。
【請求項５】
前記摘み用穴用ミシン目が、前記本体前面板（１０１）を、前記本体前面板（１０１）の長辺であって、前記鋸刃（１０３）と平行を為す辺の中点で、二分した場合に、それぞれの部分の略中央付近に設けられていることを特徴とする請求項４に記載の鋸刃付きラップフィルム又はアルミホイル用収納箱。
【請求項６】
巻き取り状のラップフィルム又はアルミホイルが請求項４又は５に記載の鋸刃付きラップフィルム収納箱に収納されていることを特徴とする鋸刃付き収納箱入りラップフィルム又はアルミホイル。
【考案の詳細な説明】
【技術分野】
【０００１】
本考案は、アルミホイルや樹脂フィルムなどを収納する鋸刃付きラップフィルム又はアルミホイル用収納箱及び該収納箱入りラップフィルム又はアルミホイルに関する。
【背景技術】
【０００２】
近年、巻き取り状の樹脂フィルムやアルミホイルなどは、該ラップフィルム等を収納するとともに、その端を所望の長さだけ引き出して、切断できるように、鋸刃を設置した収納箱に収めて販売されている。該鋸刃付き収納箱については文献１に開示されている。
【０００３】
若者のように通常の視力を有する者は、該鋸刃付き収納箱入りラップフィルムを使用することにおいては、特段の支障はない。
【特許文献１】特開平５−２２９５５６
【考案の開示】
【考案が解決しようとする課題】
【０００４】
しかしながら、視力が衰え、また、指先を器用に動かすことが困難となった老人にとっては、従来の鋸刃付き収納箱入りラップフィルムを使用する際には相当の困難さを伴う。
【０００５】
図を参照しつつ、具体的に説明する。
【０００６】
図２は従来の鋸刃付き収納箱入りラップフィルムである。ラップフィルムを収納箱に設置された鋸刃１０３で切り取った直後は図２に示されているように、ラップフィルム１０５は鋸刃１０３の真下に鋸刃１０３に近接した状態で、かつ、鋸刃１０３より前方にはみ出すことのない状態で存在している。この場合、ラップフィルム１０５は透明であるため、視力の衰えた老人等には、ラップフィルム１０５の存在とその位置を確認することが困難である。そのために、ラップフィルム１０５を指で摘み、引き出して、鋸刃１０３にあてて、切り取ることが容易ではない。
【０００７】
そこで、本考案は、視力の衰えた老人等が容易にラップフィルムを指で摘み、引き出して、鋸刃によって、切り取ることを可能とする鋸刃付きラップフィルム収納箱及びラップフィルムを提供することを目的とする。
【課題を解決するための手段】
【０００８】
本考案は、前記目的を達成するためには、ラップフィルム収納箱の適所に適当な大きさの穴を設置すれば、視力の衰えた老人等であっても、容易にラップフィルムの存在と位置を確認することができることに着目して、視力の衰えた老人等であっても容易にラップフィルムを指で摘み、引き出して、鋸刃によって、切り取ることができる鋸刃付きラップフィルム収納箱を考案した。
【０００９】
請求項１に記載された考案は、鋸刃付きラップフィルム又はアルミホイル用収納箱であって、
前記収納箱は下底板（１０８）と、後面板（１１２）と、本体前面板（１０１）と、上蓋板（１１３）と、上蓋前面板（１０６）と、上蓋側面板（１１０）と、本体側面板（１１１）と、鋸刃（１０３）とから構成され、
前記鋸刃（１０３）は前記上蓋前面板（１０６）の先端に設置され、
前記本体前面板（１０１）上に、前記上蓋板（１１３）が閉じられて、前記上蓋前面板（１０６）が前記本体前面板（１０１）に近接する状態に至った場合に、前記鋸刃（１０３）から前記上蓋板（１１３）方向へ略１０ｍｍの位置から前記本体前面板（１０１）と前記下底板（１０８）とが接することによって形成する角（１０９）付近までに渡って、大人の人差し指が容易に入る程度の大きさの穴（以下「摘み用穴」ともいう）が設けられていることを特徴とする。
【００１０】
請求項２に記載された考案は、請求項１に記載の鋸刃付きラップフィルム又はアルミホイル用収納箱に係り、
前記摘み用穴が、前記本体前面板（１０１）を、前記本体前面板（１０１）の長辺であって、前記鋸刃（１０３）と平行を為す辺の中点で二分した場合に、それぞれの部分の略中央付近に設けられていることを特徴とする。
【００１１】
請求項３に記載された考案は、鋸刃付き収納箱入りラップフィルム又はアルミホイルであって、
巻き取り状のラップフィルム又はアルミホイルが請求項１又は２に記載の鋸刃付きラップフィルム収納箱に収納されていることを特徴とする。
【００１２】
請求項４に記載された考案は、ラップフィルム又はアルミホイル用鋸刃付き収納箱であって、
前記収納箱は下底板（１０８）と、後面板（１１２）と、本体前面板（１０１）と、上蓋板（１１３）と、上蓋前面板（１０６）と、上蓋側面板（１１０）と、本体側面板（１１１）と、鋸刃（１０３）とから構成され、
前記鋸刃（１０３）は前記上蓋前面板（１０６）の先端に設置され、
前記本体前面板（１０１）上に、前記上蓋板（１１３）が閉じられて、前記上蓋前面板（１０６）が前記本体前面板（１０１）に近接する状態に至った場合に、前記鋸刃（１０３）から前記上蓋板（１１３）方向へ略１０ｍｍの位置から前記本体前面板（１０１）と前記下底板（１０８）とが接することによって形成する角（１０９）付近までに渡って、大人の人差し指が容易に入る程度の大きさの穴を形成できるようにミシン目（以下「摘み用穴用ミシン目」ともいう）が設けられていることを特徴とする。
【００１３】
請求項５に記載された考案は、請求項４に記載の鋸刃付きラップフィルム又はアルミホイル用収納箱に係り、
前記摘み用穴用ミシン目が、前記本体前面板（１０１）を、前記本体前面板（１０１）の長辺であって、前記鋸刃（１０３）と平行を為す辺の中点で、二分した場合に、それぞれの部分の略中央付近に設けられていることを特徴とする。
【００１４】
請求項６に記載された考案は、鋸刃付き収納箱入りラップフィルム又はアルミホイルであって、
巻き取り状のラップフィルム又はアルミホイルが請求項４又は５に記載の鋸刃付きラップフィルム収納箱に収納されていることを特徴とする。
【考案の効果】
【００１５】
請求項１に記載の考案によれば、従来の構造を有する鋸刃付きラップフィルム収納箱に比較して、視力の衰えた老人等であっても、容易にラップフィルムを指で摘んで、適当な長さだけ引き出し、鋸刃によって、きりとることが可能となる。
【００１６】
また、請求項２に記載の考案によれば、請求項１に記載の効果に加えて、右利きの人は第１摘み穴１０２を利用することにより、また、左利きの人は第２摘み穴１０４を利用することにより、右利きの人も左利きの人も容易にラップフィルムを引き出して、切断することができるという効果を得られる。
【００１７】
また、請求項３に記載の考案によれば、請求項１または２記載の考案の効果と同様の効果を得られる。
【００１８】
また、請求項４に記載の考案によれば、ミシン目の部分を取り除いて、摘み用穴を形成することにより、請求項１または２に記載の考案の効果と同様の効果を得られる。
【００１９】
また、需要者は必要性に応じて、摘み用穴を形成するか否かを選択することができるという効果が得られ、十分な視力を有する者にとっても、有しないものにとっても使用できる。
【００２０】
また、請求項５に記載の考案によれば、請求項４に記載の効果に加えて、右利きの人は第１摘み穴１０２を利用することにより、また、左利きの人は第２摘み穴１０４を利用することにより、右利きの人も左利きの人も容易にラップフィルムを引き出して、切断することができるという効果を得られる。
【００２１】
また、請求項６に記載の考案によれば、請求項４または５記載の考案の効果と同様の効果を得られる。
【考案を実施するための最良の形態】
【００２２】
以下、図を参照しつつ、考案を実施するための最良の形態につき説明する。
（実施の形態１）
図１は実施の形態１に係るラップフィルム用鋸刃付き収納箱を示す斜視図である。図１において、１００はラップフィルム用鋸刃付き収納箱であり、１０１は本体前面板であり、１０２は第１摘み用穴であり、１０３は鋸刃であり、１０４は第２摘み用穴であり、１０５はラップフィルムであり、１０６は上蓋前面板であり、１０７は摘み用穴１０２のうち上蓋前面板１０６の下に存在している部分であり、１１０は上蓋側面板であり、１１１は本体側面板であり、１１２は後面板であり、１１３は上蓋板である。
【００２３】
本実施の形態に係るラップフィルム用鋸刃付き収納箱は従来のラップフィルム用鋸刃付き収納箱に摘み用穴が設けられているものである。摘み用穴が設けられている点以外は、従来のラップフィルム用鋸刃付き収納箱と相違はないので、摘み用穴の部分以外については、説明を省略する。
【００２４】
摘み用穴１０２は本体前面板１０１内であって、鋸刃１０３を有する上蓋前面板１０６が閉じて包装箱本体に収まっている状態のときに、鋸刃１０３が本体前面版１０１に接する位置より上端板１１３方向に１０ｍｍ前後奥まった位置から始まり、本体前面版１０１と隣り合う下底板１０８とが交わる角１０９に渡って設置されており、穴の大きさは、大人の親指が容易に入る程度の大きさである。穴の形状は人指し指が入れば、特に形状が限定されるものでは無く、長方形であっても、楕円形等であっても、更には、図１の第１摘み用穴１０２のように、角１０９のところが少々広がっている形状であってもよい。
第２摘み用穴１０４の形状についても同様である。実施の形態１に係るラップフィルム用鋸刃付き収納箱は、摘み用穴が第１摘み用穴１０２と第２摘み用穴１０４に示されるように２個設置されている。
（実施の形態１に係る考案の効果）
実施の形態１に係るラップフィルム用鋸刃付き収納箱は視力の衰えた老人等であっても、容易にラップフィルム１０５を指で摘み、引き出して鋸刃１０３によって切断することができる。以下、従来のラップフィルム用鋸刃付き収納箱を使用する場合と比較しつつ説明する。
【００２５】
図２は従来のラップフィルム用鋸刃付き収納箱を示す斜視図である。従来のラップフィルム用鋸刃付き収納箱において、鋸刃１０３によって切断された直後のラップフィルム１０５は鋸刃１０３に密着している。ここで、上蓋板１１３を僅かに動かし、上蓋前面板１０６を浮きあがらせると図３に示されるような状態となり、ラップフィルム１０５は本体前面板１０１に密着した状態ではあるが、鋸刃１０３の前方に確認できる状態となる。十分な視力を有しているものは、この状態において、ラップフィルム１０５の先端の位置を確認することができ、ラップフィルム１０５を爪で本体前面板１０１から剥がしながら、摘むことができ、引っ張り出すことができる。
【００２６】
しかしながら、ラップフィルム１０５が、鋸刃１０３の前方に確認できる状態となっても、ラップフィルム１０５は透明の場合が多く、視力の衰えた老人等はラップフィルム１０５の存在と位置を正確に把握することが難しい。そのため、ラップフィルム１０５を指で摘んで適当な長さだけ引き出して切断することが困難である。
【００２７】
次に、実施の形態１に係るラップフィルム用鋸刃付き収納箱においてラップフィルム１０５を指で摘んで適当な長さだけ引き出して切断する動作について説明する。
【００２８】
図５は右利きの人が、左手５０３でラップフィルム用鋸刃付き収納箱を保持し、右手５０２でラップフィルム１０５を指で摘んで適当な長さだけ引き出して切断する様子を示す説明図用斜視図である。なお、理解を容易にするために、左手５０３と右手５０２は想像線で透明体として描いている。
【００２９】
本体前面版１０１に第１摘み穴１０２が設置されている場合には、上蓋前面版１０６を軽く左手５０３の親指で開いて、ラップフィルム１０５が、鋸刃１０３の前方に確認できる状態となった場合に、本体前面版１０１に第１摘み穴１０２が設置されていると、右手５０２の人差し指を第１摘み穴１０２の中にいれることによって、ラップフィルム１０５を容易に摘むことができ、適当な長さだけ引き出し、鋸刃１０３によって切断することができる。
【００３０】
同様に、図６は左利きの人が、右手５０２でラップフィルム用鋸刃付き収納箱を保持し、左手５０３の人差し指を第２摘み穴１０４に入れてラップフィルム１０５を指で摘んで適当な長さだけ引き出して切断する様子を示す説明図用斜視図である。なお、図５と同様に、左手５０３と右手５０２は想像線で透明体として描いている。
【００３１】
本実施の形態に係るラップフィルム用鋸刃付き収納箱の場合には第１摘み穴１０２と第２摘み穴１０４とが存在していることにより、右利きの人は第１摘み穴１０２を利用することにより、また、左利きの人は第２摘み穴１０４を利用することにより、右利きの人も左利きの人も容易にラップフィルムを引き出して、切断することができる。
（実施の形態２）
実施の形態２に係るラップフィルム用鋸刃付き収納箱は、ミシン目が設けられている部分を押して取ることによって、第１摘み穴と第２摘み穴を形成できるように構成されている収納箱である。
【００３２】
図４は、実施の形態２に係るラップフィルム用鋸刃付き収納箱の概略を示す斜視図である。図４において、４０２は、第１摘み穴を形成できるように設けられた摘み用穴用ミシン目であり、４０４は第２摘み穴を形成できるように設けられた摘み用穴用ミシン目である。実施の形態２に係るラップフィルム用鋸刃付き収納箱においては、必要に応じて、摘み用穴用ミシン目の部分を指で押して、切り取ることにより、摘み穴を形成することができる。
（実施の形態２に係る考案の効果）
実施の形態２に係るラップフィルム用鋸刃付き収納箱の場合には、視力が十分にある人のみが使用する場合には、摘み用穴用ミシン目をそのままにしておき、視力が衰えた人が使用する場合には、摘み用穴用ミシン目を利用して、摘み用穴を形成して使用でき、視力が十分にある人にも視力が衰えた人にも使用できるという効果がある。
【００３３】
実施の形態１及び２に係る考案は摘み穴を２個有するものであるが、摘み穴を本体前面版１０１の中央付近等の適当な位置に１個だけ設置しても、摘み穴を有しない、従来のラップフィルム用鋸刃付き収納に比べて、視力の衰えた老人等が容易にラップフィルムを指で摘み、引き出して、鋸刃によって、切り取ることを可能である。
【００３４】
また、実施の形態１及び２に係る考案においては、ラップフィルム用鋸刃付き収納箱について説明したが、アルミホイル用鋸刃付き収納箱についても、略同様である。アルミホイルは透明ではないために、透明なラップフィルムに比べて、その存在と位置を少々は目で確認しやすいが、アルミホイルを鋸刃１０３によって切断された直後にはアルミホイルは鋸刃１０３の裏に隠れており、視力の衰えた老人等はアルミホイルを摘みにくい点では同様だからである。
【図面の簡単な説明】
【００３５】
【図１】実施の形態１に係るラップフィルム用鋸刃付き収納箱を示す斜視図である。
【図２】従来の鋸刃付き収納箱入りラップフィルムを示す斜視図である。
【図３】従来の鋸刃付き収納箱入りラップフィルムを示す斜視図である
【図４】実施の形態２に係るラップフィルム用鋸刃付き収納箱の概略を示す斜視図である。
【図５】右利きの人が、左手５０３でラップフィルム用鋸刃付き収納箱を保持し、右手５０２でラップフィルム１０５を指で摘んで適当な長さだけ引き出して切断する様子を示す説明図用斜視図である。
【図６】左利きの人が、右手５０２でラップフィルム用鋸刃付き収納箱を保持し、左手５０３の人差し指を第２摘み穴１０４に入れてラップフィルム１０５を指で摘んで適当な長さだけ引き出して切断する様子を示す説明図である。
【符号の説明】
【００３６】
１００      ラップフィルム用鋸刃付き収納箱
１０１      本体前面版
１０２      摘み用穴
１０３      鋸刃
１０４      摘み用穴
１０５      ラップフィルム
１０６      上蓋前面版
１０７      摘み用穴１０２のうち上蓋前面板１０６の下に存在している部分
１０８      下底板
１０９      角
１１０      上蓋側面板
１１１      本体側面板
１１２      後面板
１１３      上蓋板
【図１】
0003124110.tif 000003
【図２】
0003124110.tif 000004
【図３】
0003124110.tif 000005
【図４】
0003124110.tif 000006
【図５】
0003124110.tif 000007
【図６】
0003124110.tif 000008